(57)【要約】【課題】簡単な構成でケーブルが延長されたか否かを判別可能な情報提供装置及び延長ケーブル有無判別方法等を提供する。【解決手段】本体部１と表示部２間が延長ケーブルを含まないケーブル３で接続される場合にはレベル検出線はハイレベルになる一方、本体部１と表示部２間が延長ケーブルを含むケーブル３で接続される場合にはレベル検出線はローレベルになるように構成し、マイコン１０は、レベル検出線における電圧が、ハイレベルとローレベルの何れであるかを判断することにより、本体部１と表示部２間を接続しているケーブル３に延長ケーブルが含まれるか否かを判別するように構成する。【選択図】図１
2008152513.tif 000002
【特許請求の範囲】
【請求項１】
互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、
前記電子機器と、を備えた情報処理装置であって、
前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるように構成され、
前記電子機器は、前記レベル検出用導線における電圧が、前記第一の電圧レベルと前記第二の電圧レベルの何れであるかを判断することにより、前記電子機器間を接続しているケーブルに前記延長ケーブルが含まれるか否かを判別する延長ケーブル有無判別手段を備えることを特徴とする情報処理装置。
【請求項２】
請求項１に記載の情報処理装置において、
前記電子機器間が第一の数のケーブルで接続される場合には前記レベル検出用導線は接地されない一方、前記電子機器間が前記第二の数のケーブルで接続される場合には前記レベル検出用導線は接地されることを特徴とする情報処理装置。
【請求項３】
請求項２に記載の情報処理装置において、
前記延長ケーブルにおけるレベル検出用導線は予め接地端子に接続されていることを特徴とする情報処理装置。
【請求項４】
請求項１乃至３の何れか一項に記載の情報処理装置において、
前記電子機器は、前記延長ケーブル有無判別手段により前記延長ケーブルが含まれると判別された場合には、前記ケーブルにおける信号伝送用導線により伝送される信号の高調波成分を強調する高調波成分強調制御手段を備えることを特徴とする情報処理装置。
【請求項５】
請求項１乃至３の何れか一項に記載の情報処理装置において、
前記電子機器は、前記延長ケーブル有無判別手段により前記延長ケーブルが含まれると判別された場合には、前記ケーブルにおける電源用導線における電源電圧を大きくする電源電圧制御手段を備えることを特徴とする情報処理装置。
【請求項６】
互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、
前記電子機器と、を備え、前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるように構成された情報処理装置における前記電子機器であって、
前記レベル検出用導線における電圧が、前記第一の電圧レベルと前記第二の電圧レベルの何れであるかを判断することにより、前記電子機器間を接続しているケーブルに前記延長ケーブルが含まれるか否かを判別する延長ケーブル有無判別手段を備えることを特徴とする電子機器。
【請求項７】
互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、
前記電子機器と、を備え、前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるように構成された情報処理装置における前記電子機器に含まれるコンピュータを、
前記レベル検出用導線における電圧が、前記第一の電圧レベルと前記第二の電圧レベルの何れであるかを判断することにより、前記電子機器間を接続しているケーブルに前記延長ケーブルが含まれるか否かを判別するように機能させることを特徴とする延長ケーブル有無判別処理プログラム。
【請求項８】
コンピュータを請求項７に記載の延長ケーブル有無判別処理プログラムがコンピュータ読み取り可能に記録されていることを特徴とする記録媒体。
【請求項９】
互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、前記電子機器と、を用いて延長ケーブル有無を判別する延長ケーブル有無判別方法であって、
前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるようにし、
前記電子機器は、前記レベル検出用導線における電圧が、前記第一の電圧レベルと前記第二の電圧レベルの何れであるかを判断することにより、前記電子機器間を接続しているケーブルに前記延長ケーブルが含まれるか否かを判別することを特徴とする延長ケーブル有無判別方法。
【発明の詳細な説明】
【技術分野】
【０００１】
本願は、互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、前記電子機器と、を備えた情報処理装置等の技術分野に関する。
【背景技術】
【０００２】
従来から、車載用ナビゲーション装置、車載用又は家庭用ＡＶ（Audio Visual）装置、或いはパーソナルコンピュータ等において、その本体部（制御部及び記憶部（ＣＤ（Compact Disc），ＤＶＤ（Digital Versatile Disc），ＨＤ（Hard Disk）等から構成）と表示部（液晶ディスプレイ等から構成）とがハードウェア的に分離され、所定距離離れた位置に夫々設置されると共に、当該本体部と表示部とは、互いに絶縁された複数の導線により構成されたケーブル（伝送ケーブル）により電気的に接続される場合がある。
【０００３】
このようなケーブルが長くなればなるほど、その分当該ケーブルにより伝送される信号が減衰するため、例えば、特許文献１においては、出力回路が出力する差動信号の意図的な反射を利用して当該信号の送出から反射波が帰ってきるまでの時間を測定することによりケーブル長を算出し、上記差動信号の振幅を、当該算出されたケーブル長に応じた値に自動的に設定する技術が開示されている。
【特許文献１】特開２０００−１８１５９１号公報
【発明の開示】
【発明が解決しようとする課題】
【０００４】
しかしながら、特許文献１の技術では、ケーブル長を算出できるものの、そのために専用の反射波発生回路及び反射波検出回路等が必要なため回路構成が複雑であり、更に、信号振幅をケーブル長に応じて大きくすることに起因して不要輻射が増大することが考えられる。一方で、ケーブルが延長されたか否かを判別できれば、十分な場合もある。
【０００５】
そこで、本願は、このような問題の解消を課題の一例とし、簡単な構成でケーブルが延長されたか否かを判別可能な情報処理装置及び延長ケーブル有無判別方法等を提供することを目的とする。
【課題を解決するための手段】
【０００６】
上記課題を解決するため、請求項１に記載の発明は、互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、前記電子機器と、を備えた情報処理装置であって、前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるように構成され、前記電子機器は、前記レベル検出用導線における電圧が、前記第一の電圧レベルと前記第二の電圧レベルの何れであるかを判断することにより、前記電子機器間を接続しているケーブルに前記延長ケーブルが含まれるか否かを判別する延長ケーブル有無判別手段を備えることを特徴とする。
【０００７】
請求項６に記載の発明は、互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、前記電子機器と、を備え、前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるように構成された情報処理装置における前記電子機器であって、前記レベル検出用導線における電圧が、前記第一の電圧レベルと前記第二の電圧レベルの何れであるかを判断することにより、前記電子機器間を接続しているケーブルに前記延長ケーブルが含まれるか否かを判別する延長ケーブル有無判別手段を備えることを特徴とする。
【０００８】
請求項７に記載の延長ケーブル有無判別処理プログラムの発明は、互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、前記電子機器と、を備え、前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるように構成された情報処理装置における前記電子機器に含まれるコンピュータを、前記レベル検出用導線における電圧が、前記第一の電圧レベルと前記第二の電圧レベルの何れであるかを判断することにより、前記電子機器間を接続しているケーブルに前記延長ケーブルが含まれるか否かを判別するように機能させることを特徴とする。
【０００９】
請求項９に記載の発明は、互いに絶縁された複数の導線により構成されたケーブルであって、少なくとも２つの電子機器間を電気的に接続するための第一の数のケーブル、又は当該ケーブルを延長するための延長ケーブルを含む第二の数のケーブルと、前記電子機器と、を用いて延長ケーブル有無を判別する延長ケーブル有無判別方法であって、前記電子機器間が第一の数のケーブルで接続される場合には当該ケーブルにおける少なくとも一つのレベル検出用導線は第一の電圧レベルになる一方、前記電子機器間が前記第２の数のケーブルで接続される場合には当該ケーブルにおける前記レベル検出用導線は前記第一の電圧レベルとは異なる第二の電圧レベルになるようにし、前記電子機器は、前記レベル検出用導線における電圧が、前記第一の電圧レベルと前記第二の電圧レベルの何れであるかを判断することにより、前記電子機器間を接続しているケーブルに前記延長ケーブルが含まれるか否かを判別することを特徴とする。
【発明を実施するための最良の形態】
【００１０】
以下、本願の最良の実施形態を添付図面に基づいて説明する。
【００１１】
本願は、ハードウェア的に分離され、所定距離離れた位置に夫々設置される少なくとも２つの電子機器を備え、当該電子機器間がケーブルにより電気的に接続される構成を有する車載用ナビゲーション装置、車載用又は家庭用ＡＶ装置、或いはパーソナルコンピュータ等の情報処理装置に対して適用されるものである。
【００１２】
なお、以下の実施形態においては、上記２つの電子機器として、装置全体の制御を担う本体部と各種情報を表示する表示部を例にとって説明する。
【００１３】
（第一実施形態）
始めに、図１等を参照して、第一実施形態に係る情報処理装置Ｓ１の構成及び機能について説明する。
【００１４】
図１は、第一実施形態に係る情報処理装置Ｓ１の概要構成例を示す図である。
【００１５】
図１に示すように、情報処理装置Ｓ１は、本体部１、表示部２、及びケーブル（伝送ケーブル）３等を備えており、本体部１と表示部２間は、互いに絶縁された複数の導線により構成されたケーブル３により電気的に接続される。
【００１６】
本体部１は、記憶部１１、描画処理部１２、トランスミッタ部１３、出力コネクタ１４、延長ケーブル有無判別手段の一例としてのマイコン（ＣＰＵ等から構成されるマイクロコンピュータ）１５、及び高調波強調設定部１６等を備える。なお、トランスミッタ部１３及び高調波強調設定部１６は、本願の高調波成分強調制御手段を構成する。
【００１７】
記憶部１１は、例えば映像データ等を記憶するハードディスクドライブ等から構成されており、マイコン１５の制御の下、映像データを読み出し、描画処理部１２に出力する。
【００１８】
なお、記憶部１１には、音声データも記憶されており映像データと共に読み出され、図示しない音声処理部により音声処理されて出力されることになるが説明は省略する。
【００１９】
描画処理部１２は、記憶部１１からの映像データに対して公知の描画処理を行ってデジタル映像信号を生成し、トランスミッタ部１３に出力する。
【００２０】
トランスミッタ部１３は、描画処理部１２からパラレル伝送されてきたデジタル映像信号をシリアル変換しシリアルデジタル映像信号として出力コネクタ１４に出力する。また、トランスミッタ部１３は、高調波強調設定部１６からの高調波強調ＯＮ信号又はＯＦＦ信号を入力し、高調波強調ＯＮ信号を入力した場合には、上記デジタル映像信号の高調波成分を強調して出力するようになっている。
【００２１】
出力コネクタ１４は、ケーブル３の一端のコネクタ３１に接続（嵌め合わせ）されるようになっている。
【００２２】
マイコン１５は、ユーザにより操作される操作部（図示せず）からの操作信号に基づき、情報処理装置Ｓ１の各構成要素を制御する。また、マイコン１５は、ケーブル３における少なくとも一つの導線（後述する「レベル検出線」）が当該マイコン１５のレベル検出用端子（図示せず）に電気的に接続されるようになっており、当該レベル検出線の電圧レベルに基づいて、本体部１と表示部２間を接続しているケーブル３に延長ケーブルが含まれるか否かを判別し（例えばＲＯＭ、不揮発性メモリ、又はハードディスク等の記録媒体に記憶された延長ケーブル有無判別処理プログラムを読み出し実行することよる）、その判別結果に応じて高調波強調制御ＯＮ信号又はＯＦＦ信号を、高調波強調設定部１６に出力するようになっている。
【００２３】
高調波強調設定部１６は、マイコン１５からの高調波強調制御ＯＮ信号又はＯＦＦ信号を入力し、当該高調波強調制御ＯＮ信号又はＯＦＦ信号に応じて高調波強調ＯＮ信号又はＯＦＦ信号を、トランスミッタ部１３に出力する。
【００２４】
図２（Ａ），（Ｂ）は、高調波強調設定部１６における回路構成例を示す図である。なお、図２（Ａ），（Ｂ）に示すａ部及びｂ部は、図１に示すａ部及びｂ部に夫々対応している。
【００２５】
図２（Ａ）の例では、高調波強調設定部１６は、トランジスタＴｒ１、及び抵抗Ｒ１，Ｒ２等により構成されており、トランジスタＴｒ１のベース（Ｂ）は、抵抗Ｒ１を介してマイコン１５の高調波強調制御信号出力端子１５ａに接続され、トランジスタＴｒ１のコレクタ（Ｃ）は、トランスミッタ部１３の高調波強調信号入力端子１３ａに接続され、トランジスタＴｒ１のエミッタ（Ｅ）は、接地されている。また、トランジスタＴｒ１のベース（Ｂ）とトランジスタＴｒ１のエミッタ（Ｅ）とは、抵抗Ｒ２を介して接続されている。そして、マイコン１５の高調波強調制御信号出力端子１５ａから高調波強調制御ＯＮ信号（ハイレベルの電圧）が出力された場合、トランジスタＴｒ１がＯＮすることにより、トランスミッタ部１３の高調波強調信号入力端子１３ａに高調波強調ＯＮ信号（ローレベルの電圧）が入力されることになる。
【００２６】
一方、図２（Ｂ）の例では、高調波強調設定部１６は、トランジスタＴｒ２、及び抵抗Ｒ３〜Ｒ６等により構成されており、トランジスタＴｒ２のベース（Ｂ）は、抵抗Ｒ３を介してマイコン１５の高調波強調制御信号出力端子１５ａに接続され、トランジスタＴｒ２のコレクタ（Ｃ）は、抵抗Ｒ５を介してトランスミッタ部１３の高調波強調信号入力端子１３ａに接続され、トランジスタＴｒ２のエミッタ（Ｅ）は、接地されている。また、トランジスタＴｒ２のベース（Ｂ）とトランジスタＴｒ２のエミッタ（Ｅ）とは、抵抗Ｒ４を介して接続されている。また、抵抗Ｒ５及びトランジスタＴｒ２に対して、抵抗Ｒ６が並列接続されている。そして、マイコン１５の高調波強調制御信号出力端子１５ａから高調波強調制御ＯＮ信号（ハイレベルの電圧）が出力された場合、トランジスタＴｒ２がＯＮすることにより、トランスミッタ部１３の高調波強調信号入力端子１３ａに高調波強調ＯＮ信号が入力（つまり、抵抗Ｒ５と抵抗Ｒ６の並列抵抗にかかる電圧）されることになる。
【００２７】
なお、図２（Ａ），（Ｂ）の回路構成例の他にも種々の回路構成をとりうる。
【００２８】
次に、表示部２は、入力コネクタ２１、レシーバ部２２、信号処理部２３、及びディスプレイ２４等を備える。
【００２９】
入力コネクタ２１は、ケーブル３の他端のコネクタ３２に接続（嵌め合わせ）されるようになっている。
【００３０】
レシーバ部２２は、ケーブル３によりシリアル伝送されてきたデジタル映像信号を入力コネクタ２１を介して受信し、パラレル変換して信号処理部２３に出力する。
【００３１】
信号処理部２３は、レシーバ部２２からのデジタル映像信号に対して、ディスプレイ２４に表示させるための公知の信号処理を施し、ディスプレイ２４に出力する。
【００３２】
ディスプレイ２４は、例えば液晶ディスプレイ等からなり、信号処理部２３からのデジタル映像信号にしたがって映像を表示するようになっている。
【００３３】
次に、ケーブル３は、上述したように互いに絶縁された複数の導線により構成され、これらの導線は、例えば同一の被覆内に収められている。また、これらの導線には、例えば、電源線（電源用導線）、制御線（制御用導線）、信号線（信号伝送用導線）、及びレベル検出線（レベル検出用導線）、及び接地線（接地用導線）等が含まれる。
【００３４】
また、ケーブル３の両端にはコネクタ（３１，３２）が取り付けられている。
【００３５】
そして、ケーブル３は、第一の数のケーブルで構成される場合と、当該ケーブルを延長するための延長ケーブルを含む第二の数のケーブルで構成される場合とがある。なお、本明細書においては、一例として、「第一の数」を“１”とし、「第二の数」を“２”として説明するが、これに限定されるものではなく、その他の数としても良い。
【００３６】
図３は、ケーブル３の態様を示す図であり、（Ａ）はケーブル３が一本のケーブル３ａのみで構成される場合を示しており、（Ｂ）はケーブル３が一本のケーブル３ａと当該ケーブル３ａを延長するための延長ケーブル３ｂ（計２本）とで構成される場合を示している。
【００３７】
ケーブル３がケーブル３ａで構成される場合、図３（Ａ）に示すように、コネクタ３１がケーブル３ａの一端（本体部１側）に、コネクタ３２がケーブル３ａの他端（表示部２側）に夫々取り付けられることとなる。
【００３８】
一方、ケーブル３がケーブル３ａと延長ケーブル３ｂとで構成される場合、図３（Ｂ）に示すように、コネクタ３１がケーブル３ａの一端（本体部１側）に、コネクタ３２が延長ケーブル３ｂの一端（表示部２側）に夫々取り付けられることになる。また、この場合、ケーブル３ａの他端にはコネクタ３３が取り付けられ、延長ケーブル３ｂの他端にはコネクタ３４が取り付けられ、コネクタ（例えば、オスコネクタ）３３とコネクタ（例えば、メスコネクタ）３４とは接続（嵌め合わせ）されるようになっている。
【００３９】
図４は、コネクタの端子接続の一例を示す図であり、（Ａ）はケーブル３が一本のケーブル３ａのみで構成される場合を示しており、（Ｂ）はケーブル３が一本のケーブル３ａと当該ケーブル３ａを延長するための延長ケーブル３ｂとで構成される場合を示している。
【００４０】
ケーブル３がケーブル３ａで構成される場合と、ケーブル３がケーブル３ａと延長ケーブル３ｂとで構成される場合との双方共、図４に示すように、出力コネクタ１４におけるレベル検出用端子１４ａに接続されたレベル検出線３００は、マイコン１５のレベル検出用端子１５ｂに接続されるようになっている。
【００４１】
そして、ケーブル３がケーブル３ａで構成される場合、レベル検出線３００は、浮いており（ｆｒｏａｔ）、マイコン１５に印加される電源電圧（例えば、３、３Ｖ）からプルアップ抵抗Ｒ７にかかる電圧分（電圧降下分）を引いたハイレベル（第一の電圧レベルの一例）となっている。これにより、マイコン１５のレベル検出用端子１５ｂには、ハイレベルの電圧が印加されることになる（つまり、マイコン１５にハイレベルの電圧が入力される）。
【００４２】
一方、ケーブル３がケーブル３ａと延長ケーブル３ｂとで構成される場合、延長ケーブル３ｂのコネクタ３４におけるレベル検出用端子３４ａに接続されたレベル検出線３００は、予めケーブル外皮端子３４ｂに接続された接地線３０１に接続（つまり、レベル検出線３００は、予め延長ケーブル３ｂのコネクタ３４における接地端子に接続）されるようになっている（なお、接地線３０１は、例えばケーブル外皮等に繋がり接地される）。これにより、レベル検出線３００は、接地され、その電圧レベル（第一の電圧レベルとは異なる第二の電圧レベルの一例）は、例えば０Ｖのローレベルとなり、マイコン１５のレベル検出用端子１５ｂには、ローレベルの電圧が印加されることになる（つまり、マイコン１５にローレベルの電圧が入力される）。
【００４３】
次に、図１等を参照して、以上のように構成された情報処理装置Ｓ１の動作について説明する。
【００４４】
ケーブル３がケーブル３ａのみで構成される場合、マイコン１５には、上述したように、レベル検出用端子１５ｂを介して、レベル検出線３００におけるハイレベルの電圧が入力される。マイコン１５は、レベル検出線３００における電圧レベルがハイレベルとローレベルの何れであるかを判断することにより、本体部１と表示部２間を接続しているケーブル３に延長ケーブルが含まれるか否かを判別しており、レベル検出線３００の電圧レベルがハイレベルであると判断すると、本体部１と表示部２間を接続しているケーブル３に延長ケーブルが含まれないと判別し、高調波強調制御ＯＦＦ信号（ローレベルの電圧）を高調波強調制御信号出力端子１５ａを介して高調波強調設定部１６に出力する。こうして高調波強調制御ＯＦＦ信号が高調波強調設定部１６に入力されると、上述したように、高調波強調設定部１６から高調波強調信号入力端子１３ａを介してトランスミッタ部１３に高調波強調ＯＦＦ信号が入力される。そして、この場合、トランスミッタ部１３は、ケーブル３における信号線により伝送されるべき上記デジタル映像信号の高調波成分を強調せずに（ケーブル延長しない場合の最適設定）当該デジタル映像信号を出力する。
【００４５】
一方、ケーブル３がケーブル３ａと延長ケーブル３ｂとで構成される場合、マイコン１５には、上述したように、レベル検出用端子１５ｂを介して、レベル検出線３００におけるローレベルの電圧が入力される。マイコン１５は、レベル検出線３００における電圧レベルがローレベルであると判断すると、本体部１と表示部２間を接続しているケーブル３に延長ケーブルが含まれると判別し、高調波強調制御ＯＮ信号（ハイレベルの電圧）を高調波強調制御信号出力端子１５ａを介して高調波強調設定部１６に出力する。こうして高調波強調制御ＯＮ信号が高調波強調設定部１６に入力されると、上述したように、高調波強調設定部１６から高調波強調信号入力端子１３ａを介してトランスミッタ部１３に高調波強調ＯＮ信号が入力される。そして、この場合、トランスミッタ部１３は、ケーブル３における信号線により伝送されるべき上記デジタル映像信号の高調波成分を強調して（ケーブル延長する場合の最適設定）出力する。
【００４６】
図５は、デジタル映像信号の高調波成分を強調したときとしないときの波形例を示す図である。図５の例において、破線５１は、デジタル映像信号の高調波成分を強調しないときの波形を示しており、実線５２は、デジタル映像信号の高調波成分を強調したときの波形を示している。デジタル映像信号の高調波成分を強調では、実線５２に示されるように、意図的に出力波形にオーバーシュートを発生させることになる。
【００４７】
（第二実施形態）
次に、図６等を参照して、第二実施形態に係る情報処理装置Ｓ２の構成、機能及び動作について説明する。
【００４８】
図６は、第二実施形態に係る情報処理装置Ｓ２の概要構成例を示す図である。
【００４９】
図６に示すように、情報処理装置Ｓ２は、本体部１Ｘ、表示部２Ｘ、及びケーブル（伝送ケーブル）３等を備えており、本体部１Ｘと表示部２Ｘ間は、ケーブル３により電気的に接続される。
【００５０】
なお、第二実施形態において、第一実施形態と同様の構成部分については同一符号を付し、重複する説明を省略する。
【００５１】
本体部１Ｘは、信号入力部１１Ｘ１、信号入力部１１Ｘ２、信号選択部１２Ｘ、出力バッファ部１３Ｘ、出力コネクタ１４、マイコン１５、及び高調波強調設定部１６Ｘ等を備える。なお、出力バッファ部１３Ｘ及び高調波強調設定部１６Ｘは、本願の高調波成分強調制御手段を構成する。
【００５２】
信号入力部１１Ｘ１及び信号入力部１１Ｘ２は、ＤＶＤプレーヤやテレビチューナ等の外部機器と接続するためのインターフェースであり、例えばＤＶＤプレーヤから出力されたアナログ映像信号及び音声信号が信号入力部１１Ｘ１を通じて入力され信号選択部１２Ｘに出力され、また、例えばテレビチューナから出力されたアナログ映像信号及び音声信号が信号入力部１１Ｘ２を通じて入力され信号選択部１２Ｘに出力される。
【００５３】
なお、以下の説明では、音声信号の処理については省略する。
【００５４】
信号選択部１２Ｘは、マイコン１５の制御の下、信号入力部１１Ｘ１からのアナログ映像信号と、信号入力部１１Ｘ２からのアナログ映像信号と、の何れか一方の信号を選択して、出力バッファ部１３Ｘに出力する。
【００５５】
高調波強調設定部１６Ｘは、マイコン１５からの高調波強調制御ＯＮ信号又はＯＦＦ信号を出力バッファ部１３Ｘに入力されたアナログ映像信号の高調波成分を強調するようになっている。
【００５６】
図７は、高調波強調設定部１６Ｘにおける回路構成例を示す図である。なお、図７に示すｃ部、ｄ部及びｅ部は、図６に示すｃ部、ｄ部及びｅ部に夫々対応している。
【００５７】
図７の例では、高調波強調設定部１６Ｘは、高調波成分を通過するコンデンサＣ１（高調波通過フィルタを構成）とスイッチＳＷ等から構成されており、マイコン１５の高調波強調制御信号出力端子１５ａから高調波強調制御ＯＮ信号が出力された場合、スイッチＳＷ（例えばトランジスタにより構成）がＯＮすることにより、出力バッファ部１３Ｘに対してコンデンサＣ１が並列に組み込まれることになり、出力バッファ部１３Ｘに入力されたアナログ映像信号の高調波成分が強調される。
【００５８】
なお、図７の回路構成例の他にも種々の回路構成をとりうる。
【００５９】
次に、表示部２Ｘは、入力コネクタ２１、入力部２２Ｘ、信号処理部２３、及びディスプレイ２４等を備える。
【００６０】
入力部２２Ｘは、ケーブル３により伝送されてきたアナログ映像信号を入力コネクタ２１を介して受信し、信号処理部２３に出力する。
【００６１】
以上の情報処理装置Ｓ２の構成において、ケーブル３がケーブル３ａのみで構成される場合、マイコン１５には、第一実施形態と同様、レベル検出用端子１５ｂを介して、レベル検出線３００におけるハイレベルの電圧が入力される。マイコン１５は、レベル検出線３００の電圧レベルがハイレベルであると判断すると、本体部１Ｘと表示部２Ｘ間を接続しているケーブル３に延長ケーブルが含まれないと判別し、高調波強調制御ＯＦＦ信号を高調波強調制御信号出力端子１５ａを介して高調波強調設定部１６Ｘに出力する。高調波強調設定部１６ＸにおけるスイッチＳＷは、高調波強調制御ＯＦＦ信号によってもＯＮしないので、出力バッファ部１３Ｘに対してコンデンサＣ１が並列に組み込まれず、したがって、ケーブル３における信号線により伝送されるべきアナログ映像信号は、その高調波成分が強調されずに出力される。
【００６２】
一方、ケーブル３がケーブル３ａと延長ケーブル３ｂとで構成される場合、マイコン１５には、第一実施形態と同様、レベル検出用端子１５ｂを介して、レベル検出線３００におけるローレベルの電圧が入力される。マイコン１５は、レベル検出線３００における電圧レベルがローレベルであると判断すると、本体部１Ｘと表示部２Ｘ間を接続しているケーブル３に延長ケーブルが含まれると判別し、高調波強調制御ＯＮ信号を高調波強調制御信号出力端子１５ａを介して高調波強調設定部１６Ｘに出力する。高調波強調設定部１６ＸにおけるスイッチＳＷは、高調波強調制御ＯＮ信号よりＯＮし、出力バッファ部１３Ｘに対してコンデンサＣ１が並列に組み込まれ、したがって、ケーブル３における信号線により伝送されるべきアナログ映像信号は、その高調波成分が強調されて出力される。
【００６３】
図８は、アナログ映像信号の高調波成分を強調したときとしないときの周波数特性を示す図である。図８の例において、破線６１は、アナログ映像信号の高調波成分を強調しないときの周波数特性を示しており、実線６２は、アナログ映像信号の高調波成分を強調したときの周波数特性を示している。アナログ映像信号の高調波成分を強調では、実線６２に示されるように、意図的に高周波成分をブーストさせることになる。
【００６４】
以上説明したように上記第一及び第二実施形態によれば、本体部（１又は１Ｘ）と表示部（２又は２Ｘ）間が延長ケーブルを含まないケーブル３で接続される場合にはレベル検出線３００はハイレベルになる一方、本体部（１又は１Ｘ）と表示部（２又は２Ｘ）間が延長ケーブルを含むケーブル３で接続される場合にはレベル検出線３００はローレベルになるように構成し、マイコン１０は、レベル検出線３００における電圧が、ハイレベルとローレベルの何れであるかを判断することにより、本体部（１又は１Ｘ）と表示部（２又は２Ｘ）間を接続しているケーブル３に延長ケーブルが含まれるか否かを判別するように構成したので、簡単な構成でケーブルが延長されたか否かを判別することができる。
【００６５】
また、延長ケーブル３ｂのコネクタ３４におけるレベル検出用端子３４ａに接続されたレベル検出線３００は予め延長ケーブル３ｂのコネクタ３４における接地端子に接続されるように構成したので、ケーブル３ａに延長ケーブル３ｂを繋げるだけでレベル検出線３００が簡単に接地させることができ、より簡単な構成でケーブルが延長されたか否かを判別することができる。
【００６６】
また、ケーブル３におけるレベル検出線３００の電圧レベルに基づいて、当該ケーブル３に延長ケーブルが含まれるか否かを判別し、延長ケーブルが含まれると判別された場合には、ケーブル３により伝送される信号の高調波成分を強調（例えば、プリエンファシス、エッジ強調）するように構成したので、不要輻射を抑えつつ、ケーブル長に応じて低下する高調波成分を効率良く補うことができる。
【００６７】
なお、上記実施形態においては、高調波成分を強調する対象を映像信号としたが、これに限定されるものではなく、延長ケーブルが含まれると判別された場合には、デジタル又はアナログ音声信号の高調波成分を強調するように構成しても良い。
【００６８】
また、上記実施形態においては、映像信号の高調波成分の強調を本体部（１又は１Ｘ）側で行うように構成したが、表示部（２又は２Ｘ）側で行うように構成しても構わない。
【００６９】
また、上記実施形態においては、信号の高調波成分を強調するように構成したが、別の例として、延長ケーブルが含まれると判別された場合には、ケーブル３の電源線における電源電圧を、延長ケーブルが含まれない場合よりも大きくするように構成しても良く、この構成によれば、ケーブル長に応じて低下する電源電圧を補うことができる。
【００７０】
更に、延長ケーブルが含まれると判別された場合には、ケーブル３の信号線の出力インピーダンス（又は入力インピーダンス）を、延長ケーブルが含まれない場合よりも小さくするように構成しても良い。更にまた、延長ケーブルが含まれると判別された場合には、ケーブル３の本体部（１又は１Ｘ）側（送信側）の制御線にバッファが挿入される（延長ケーブルが含まれない場合、バッファはバイパスされる）ように構成（例えばセレクタにより切り替え）しても良い。
【００７１】
また、上記実施形態においては、一例として、高調波強調設定部（１６又は１６Ｘ）が本願の高調波成分強調制御手段を構成するようにしたが、本願の延長ケーブル有無判別手段と共に当該高調波成分強調制御手段をマイコン１５においてソフトウェアにより構成し、そのための高調波成分強調処理プログラムは、例えばＲＯＭ、不揮発性メモリ、又はハードディスク等の記録媒体に記憶され、マイコン１５により実行されるように構成しても良い。
【図面の簡単な説明】
【００７２】
【図１】第一実施形態に係る情報処理装置Ｓ１の概要構成例を示す図である。
【図２】高調波強調設定部１６における回路構成例を示す図である。
【図３】ケーブル３の態様を示す図である。
【図４】コネクタの端子接続の一例を示す図である。
【図５】デジタル映像信号の高調波成分を強調したときとしないときの波形例を示す図である。
【図６】第二実施形態に係る情報処理装置Ｓ２の概要構成例を示す図である。
【図７】高調波強調設定部１６Ｘにおける回路構成例を示す図である。
【図８】アナログ映像信号の高調波成分を強調したときとしないときの周波数特性を示す図である。
【符号の説明】
【００７３】
１，１Ｘ  本体部
２，２Ｘ  表示部
３，３ａ  ケーブル
３ｂ  延長ケーブル
１１  記憶部
１１Ｘ１ｍ  信号入力部
１１Ｘ１，１１Ｘ２  信号入力部
１２  描画処理部
１２Ｘ  信号選択部
１３  トランスミッタ部
１３Ｘ  出力バッファ部
１４  出力コネクタ
１５  マイコン
１６，１６Ｘ  高調波強調設定部
２１  入力コネクタ
２２  レシーバ部
２２Ｘ  入力部
２３  信号処理部
２４  ディスプレイ
Ｓ１，Ｓ２   情報処理装置
【図１】
2008152513.tif 000003
【図２】
2008152513.tif 000004
【図３】
2008152513.tif 000005
【図４】
2008152513.tif 000006
【図５】
2008152513.tif 000007
【図６】
2008152513.tif 000008
【図７】
2008152513.tif 000009
【図８】
2008152513.tif 000010